(57)【要約】【課題】コピー制御情報を主情報に付加することで、コピーの制御を正しく管理する。【解決手段】デパケット化回路７１は、IEEE１３９４シリアルバス５５を介して伝送されてきたアイソクロナスパケットの１３９４ヘッダに含まれるEMIを抽出して、EMI解析回路７２に出力し、data_fieldに含まれるトランスポートパケットをEMIに基づいて解読し、記録フォーマット符号化器７４に出力する。EMI解析回路７２は、入力されたEMIを解析し、EMI-CPIエンコーダ７３は、解析されたEMIに対応するCPIを出力する。記録フォーマット符号化器７４は、発生回路７５が出力するCCI_invalid_flagとEMI-CPIエンコーダ７３の出力するCPIを、トランスポートパケットに付加し、ストレージメディア７６に記録する。【選択図】図４
2008103072.tif 000002
【特許請求の範囲】
【請求項１】
入力される情報から、第１のコピー制御情報を含む主情報と前記主情報の属性を表す補助情報を抽出する抽出手段と、
前記抽出手段により抽出された前記補助情報に基づいて、第２のコピー制御情報を生成する生成手段と、
前記生成手段により生成された前記第２のコピー制御情報を、前記抽出手段により抽出された前記主情報に付加する第１の付加手段と
を備えることを特徴とする情報処理装置。
【請求項２】
前記第１のコピー情報の有効性を表す情報を発生する発生手段と、
前記発生手段が発生した情報を、前記抽出手段により抽出された前記主情報に付加する第２の付加手段と
をさらに備えることを特徴とする請求項１に記載の情報処理装置。
【請求項３】
前記主情報は、トランスポートストリームであり、
前記補助情報は、前記主情報が暗号化されているモードを表す情報である
ことを特徴とする請求項１に記載の情報処理装置。
【請求項４】
前記第１の付加手段は、前記トランスポートストリームのトランスポートパケット毎に前記第２のコピー制御情報を付加する
ことを特徴とする請求項３に記載の情報処理装置。
【請求項５】
前記情報は、IEEE1394デジタルインタフェースを介して入力され、
前記補助情報は、EMIである
ことを特徴とする請求項１に記載の情報処理装置。
【請求項６】
前記主情報から、前記第１のコピー制御情報を抽出し、解析する解析手段と、
前記解析手段の解析結果に対応して、前記主情報の前記第１のコピー制御情報を書き換える書き換え手段と
をさらに備えることを特徴とする請求項１に記載の情報処理装置。
【請求項７】
前記付加手段により前記第２のコピー制御情報が付加された前記主情報を、記録媒体に記録する記録手段と
をさらに備えることを特徴とする請求項１に記載の情報処理装置。
【請求項８】
入力される情報から、第１のコピー制御情報を含む主情報と前記主情報の属性を表す補助情報を抽出する抽出ステップと、
前記抽出ステップで抽出された前記補助情報に基づいて、第２のコピー制御情報を生成する生成ステップと、
前記生成ステップで生成された前記第２のコピー制御情報を、前記抽出ステップで抽出された前記主情報に付加する付加ステップと
を含むことを特徴とする情報処理方法。
【請求項９】
入力される情報から、第１のコピー制御情報を含む主情報と前記主情報の属性を表す補助情報を抽出する抽出ステップと、
前記抽出ステップで抽出された前記補助情報に基づいて、第２のコピー制御情報を生成する生成ステップと、
前記生成ステップで生成された前記第２のコピー制御情報を、前記抽出ステップで抽出された前記主情報に付加する付加ステップと
を含むことを特徴とするプログラムをコンピュータに実行させる記録媒体。
【請求項１０】
入力される情報から、第１のコピー制御情報を含む主情報と、前記主情報に付加されている第２のコピー制御情報を抽出する抽出手段と、
前記抽出手段により抽出された前記第２のコピー制御情報に基づいて、前記主情報に含まれる前記第１のコピー制御情報を書き換えるための書き換え情報を生成する生成手段と、
前記生成手段により生成された前記書き換え情報で、前記抽出手段により抽出された前記主情報の前記第１のコピー制御情報を書き換える書き換え手段と
を備えることを特徴とする情報処理装置。
【請求項１１】
記録媒体に記録されている前記第２のコピー制御情報が付加された前記主情報を再生する再生手段と
をさらに備えることを特徴とする請求項１０に記載の情報処理装置。
【請求項１２】
前記抽出手段は、入力される前記情報から、前記第１のコピー制御情報の有効性を表す情報を抽出する手段を有し、
前記抽出手段により抽出された前記有効性を表す情報に基づいて、前記書き換え手段により前記第１のコピー制御情報が書き換えられた前記主情報、または前記第１のコピー制御情報が書き換えられていない前記主情報の一方を出力する出力手段
をさらに備えることを特徴とする請求項１０に記載の情報処理装置。
【請求項１３】
入力される情報から、第１のコピー制御情報を含む主情報と、前記主情報に付加されている第２のコピー制御情報を抽出する抽出ステップと、
前記抽出ステップで抽出された前記第２のコピー制御情報に基づいて、前記主情報に含まれる前記第１のコピー制御情報を書き換える書き換え情報を生成する生成スップと、
前記生成ステップで生成された前記書き換え情報で、前記抽出ステップで抽出された前記主情報の前記第１のコピー制御情報を書き換える書き換えステップと
を含むことを特徴とする情報処理方法。
【請求項１４】
入力される情報から、第１のコピー制御情報を含む主情報と、前記主情報に付加されている第２のコピー制御情報を抽出する抽出ステップと、
前記抽出ステップで抽出された前記第２のコピー制御情報に基づいて、前記主情報に含まれる前記第１のコピー制御情報を書き換える書き換え情報を生成する生成ステップと、
前記生成ステップで生成された前記書き換え情報で、前記抽出ステップで抽出された前記主情報の前記第１のコピー制御情報を書き換える書き換えステップと
を含むことを特徴とするプログラムをコンピュータに実行させる記録媒体。
【発明の詳細な説明】
【技術分野】
【０００１】
本発明は、情報処理装置および方法、並びに記録媒体に関し、特に、より確実にコピー制限を行うことができるようにした、情報処理装置および方法、並びに記録媒体に関する。
【背景技術】
【０００２】
図１は、従来の情報記録再生システムの構成例を表している。IRD（Integrated Recorder/Decoder）１、デジタル信号記録再生装置２，３、およびデジタル信号再生装置４は、IEEE１３９４シリアルバス５により相互に接続されている。
【０００３】
IRD１は、その受信回路１１により、衛星放送を受信し、受信したトランスポートストリームをパケット化回路１２に出力する。パケット化回路１２は、入力されたトランスポートストリームを、IEEE１３９４デジタルインタフェース規格に基づくアイソクロナスパケット（ＩＰパケット）にパケット化し、デジタル信号記録装置２，３に出力する。
【０００４】
デジタル信号再生装置４は、ストレージメディア４１（このストレージメディア４１は、例えば、デジタル信号記録装置２において記録されたストレージメディア２４、またはデジタル信号記録装置３で記録されたストレージメディア３３に対応している）に記録されているデータを再生し、記録フォーマット復号器４２で復号される。記録フォーマット復号器４２の出力するトランスポートストリームは、パケット化回路４３においてパケット化され、IEEE１３９４シリアルバス５を介してデジタル信号記録装置２，３に供給される。
【０００５】
デジタル信号記録装置２は、デパケット化回路２１を有し、このデパケット化回路２１は、IEEE１３９４シリアルバス５を介して入力されたアイソクロナスパケットのデータをデパケット化し、トランスポートストリームをCCI書き換え回路２２を介して記録フォーマット符号化器２３に出力される。デパケット化回路２１はまた、トランスポートストリームをCCI解析回路２５に出力する。CCI解析回路２５は、トランスポートストリームの内部に含まれているコピー制御情報（Copy Control Information（CCI））を抽出、解析し、その解析結果をCCIエンコーダ２６に出力している。
【０００６】
CCIエンコーダ２６は、入力されたCCIを新たなCCIにエンコードし（変更し）、新たなCCIをCCI書き換え回路２２に出力する。CCI書き換え回路２２は、CCIエンコーダ２６から供給されたCCIで、デパケット化回路２１より供給されたトランスポートストリーム中のCCIを書き換えて、記録フォーマット符号化器２３に出力される。記録フォーマット符号化器２３は、入力されたトランスポートストリームを符号化し、ストレージメディア２４に記録させる。
【０００７】
デジタル信号記録装置３のデパケット化回路３１および記録フォーマット符号化器３２は、デジタル信号記録装置２のデパケット化回路２１および記録フォーマット符号化器２３と同様の処理を行い、IEEE１３９４シリアルバス５を介して伝送されてきたデータをストレージメディア３３に記録させる。このデジタル信号記録装置３には、デジタル信号記録装置２におけるCCI解析回路２５、CCIエンコーダ２６、およびCCI書き換え回路２２が設けられていない。すなわち、デジタル信号記録装置３は、ストリームの内部に記録されているCCIを理解することができないノンコグニザント装置とされている。これに対して、デジタル信号記録装置２は、CCIの内容を理解することが可能なコグニザント装置とされている。
【０００８】
次に、その動作について説明する。例えば、IRD１により受信したデータをデジタル信号記録装置３で記録する場合、次のような動作が行われる。すなわち、IRD１の受信回路１１により、所定のチャンネルの信号が受信されると、そのトランスポートストリームがパケット化回路１２に入力される。パケット化回路１２は、入力されたトランスポートストリームをアイソクロナスパケットにパケット化し、IEEE１３９４シリアルバス５を介してデジタル信号記録装置７３に供給する。
【０００９】
デジタル信号記録装置３においては、デパケット化回路３１が、入力されたアイソクロナスパケットをデパケット化し、トランスポートストリームを記録フォーマット符号化器３２に出力する。記録フォーマット符号化器３２は、入力されたトランスポートストリームを所定の方式で符号化し、ストレージメディア３３に記録する。
【００１０】
IRD１より出力したデータをデジタル信号記録装置２において記録することも可能である。この場合、デパケット化回路２１が、IEEE１３９４シリアルバス５を介して入力されたアイソクロナスパケットをデパケット化し、トランスポートストリームをCCI書き換え回路２２とCCI解析回路２５に出力する。CCI解析回路２５は、入力されたトランスポートストリームに含まれるCCIを抽出、解析し、その解析結果をCCIエンコーダ２６に出力する。CCIエンコーダ２６は、入力されたCCIがcopy once（１回コピー可）であれば、これをcopy prohibited（コピー禁止）に変更し、copy free（コピー自由）である場合には、そのままにする。CCIがcopy prohibitedである場合には、CCIエンコーダ２６は、CCI書き換え回路２２を制御し、記録動作を禁止させる。
【００１１】
CCI書き換え回路２２は、CCIエンコーダ２６より、copy freeまたはcopy prohibitedのCCIが入力されたとき、このCCIでデパケット化回路２１より入力されるトランスポートストリーム中のCCIを書き換え、記録フォーマット符号化器２３に出力する。記録フォーマット符号化器２３は、入力されたトランスポートストリームを符号化し、ストレージメディア２４に記録する。
【００１２】
以上においては、IRD１が出力したデータを記録するようにしたが、デジタル信号再生装置４が再生したデータを記録することも可能である。この場合には、ストレージメディア４１から再生されたデータが記録フォーマット復号器４２で復号され、パケット化回路４３でアイソクロナスパケットにパケット化される。そして、パケット化されたデータが、IEEE１３９４シリアルバス５を介してデジタル信号記録装置２，３に伝送される。そして、上述した場合と同様にして、記録動作が行われる。
【００１３】
受信回路１１の出力するトランスポートストリームは、MPEG2 systems（ISO/IEC13818-1）のトランスポートストリームとされ、１８８バイト長のトランスポートパケット単位でビデオストリームとオーディオストリームが多重化されている。例えば、デジタル信号記録装置２がコンシュマーユースのDVCR（Digital Video Cassette Recorder）である場合、デパケット化回路２１は、図２に示すように、MPEG2 systemsのトランスポートストリームの１８８バイト長のトランスポートパケットの先頭の１バイトのシンクバイトを除いた１８７バイトに、３バイトのTSP_extra_headerを付加し、出力する。このTSP_extra_headerのシンタックスは、図３に示すように構成されている。すなわち、このTSP_extra_headerには、２１ビットのtime_stamp_counterが配置されている。このtime_stamp_counterは、ISO/IEC13818-1（MPEG2 systems）で定義するsmoothing bufferまたはT-STD（Transport Stream System Target Decoder）の入力におけるトランスポートパケットの第１バイト目の最初のビットの予定到着時刻を表している。
【００１４】
DVCRは、２７MHzの周波数のクロックをトランスポートストリームに含まれるPCR（Program_Clock_Reference）にロックさせ、トランスポートパケットの第１バイト目が、smoothing bufferまたはT-STDへ入力されるときのクロックカウンタを、そのトランスポートパケットのtime_stamp_counterとして付加する。再生時においては、DVCRが有する２７MHzの周波数のクロックのクロックカウンタ値と、トランスポートパケットのtime_stamp_counterの値が等しくなったとき、そのトランスポートパケットを出力する処理が行われる。
【発明の開示】
【発明が解決しようとする課題】
【００１５】
従来のシステムにおいては、このように、CCIを解析することが可能なコグニザント装置においては、CCIに基づいてコピーが制御されるため、コピーを正しく管理することが可能である。しかしながら、ノンコグニザント装置の場合、CCIを解析することができないため、CCIが、例えcopy prohibitedとされていたとしても、そのデータがストレージメディアに記録されてしまう課題があった。また、CCIがcopy onceである場合、これは１回のコピーを許容するものであるため、１回コピーを実行した場合には、CCIをcopy onceからcopy prohibitedに書き換える必要があるが、ノンコグニザント装置においては、この書き換えが行われないため、何回でもコピーがなされてしまうことになる。
【００１６】
本発明はこのような状況に鑑みてなされたものであり、コピーを正しく管理することができるようにするものである。
【課題を解決するための手段】
【００１７】
本発明の第１の情報処理装置は、入力される情報から、第１のコピー制御情報を含む主情報と前記主情報の属性を表す補助情報を抽出する抽出手段と、前記抽出手段により抽出された前記補助情報に基づいて、第２のコピー制御情報を生成する生成手段と、前記生成手段により生成された前記第２のコピー制御情報を、前記抽出手段により抽出された前記主情報に付加する第１の付加手段とを備える。
【００１８】
前記第１のコピー情報の有効性を表す情報を発生する発生手段と、前記発生手段が発生した情報を、前記抽出手段により抽出された前記主情報に付加する第２の付加手段とをさらに設けることができる。
【００１９】
前記主情報は、トランスポートストリームであり、前記補助情報は、前記主情報が暗号化されているモードを表す情報であるようにすることができる。
【００２０】
前記第１の付加手段には、前記トランスポートストリームのトランスポートパケット毎に前記第２のコピー制御情報を付加させることができる。
【００２１】
前記情報は、IEEE1394デジタルインタフェースを介して入力され、前記補助情報は、EMIであるようにすることができる。
【００２２】
前記主情報から、前記第１のコピー制御情報を抽出し、解析する解析手段と、前記解析手段の解析結果に対応して、前記主情報の前記第１のコピー制御情報を書き換える書き換え手段とをさらに設けることができる。
【００２３】
前記付加手段により前記第２のコピー制御情報が付加された前記主情報を、記録媒体に記録する記録手段とをさらに設けることができる。
【００２４】
本発明の第１の情報処理方法は、入力される情報から、第１のコピー制御情報を含む主情報と前記主情報の属性を表す補助情報を抽出する抽出ステップと、前記抽出ステップで抽出された前記補助情報に基づいて、第２のコピー制御情報を生成する生成ステップと、前記生成ステップで生成された前記第２のコピー制御情報を、前記抽出ステップで抽出された前記主情報に付加する付加ステップとを含む。
【００２５】
本発明の第１の記録媒体に記録されているプログラムは、入力される情報から、第１のコピー制御情報を含む主情報と前記主情報の属性を表す補助情報を抽出する抽出ステップと、前記抽出ステップで抽出された前記補助情報に基づいて、第２のコピー制御情報を生成する生成ステップと、前記生成ステップで生成された前記第２のコピー制御情報を、前記抽出ステップで抽出された前記主情報に付加する付加ステップとを含む処理をコンピュータに実行させる。
【００２６】
本発明の第２の情報処理装置は、入力される情報から、第１のコピー制御情報を含む主情報と、前記主情報に付加されている第２のコピー制御情報を抽出する抽出手段と、前記抽出手段により抽出された前記第２のコピー制御情報に基づいて、前記主情報に含まれる前記第１のコピー制御情報を書き換えるための書き換え情報を生成する生成手段と、前記生成手段により生成された前記書き換え情報で、前記抽出手段により抽出された前記主情報の前記第１のコピー制御情報を書き換える書き換え手段とを備える。
【００２７】
記録媒体に記録されている前記第２のコピー制御情報が付加された前記主情報を再生する再生手段とをさらに設けることができる。
【００２８】
前記抽出手段は、入力される前記情報から、前記第１のコピー制御情報の有効性を表す情報を抽出する手段を有し、前記抽出手段により抽出された前記有効性を表す情報に基づいて、前記書き換え手段により前記第１のコピー制御情報が書き換えられた前記主情報、または前記第１のコピー制御情報が書き換えられていない前記主情報の一方を出力する出力手段をさらに設けることができる。
【００２９】
本発明の第２の情報処理方法は、入力される情報から、第１のコピー制御情報を含む主情報と、前記主情報に付加されている第２のコピー制御情報を抽出する抽出ステップと、前記抽出ステップで抽出された前記第２のコピー制御情報に基づいて、前記主情報に含まれる前記第１のコピー制御情報を書き換える書き換え情報を生成する生成スップと、前記生成ステップで生成された前記書き換え情報で、前記抽出ステップで抽出された前記主情報の前記第１のコピー制御情報を書き換える書き換えステップとを含む。
【００３０】
本発明の第２の記録媒体に記録されているプログラムは、入力される情報から、第１のコピー制御情報を含む主情報と、前記主情報に付加されている第２のコピー制御情報を抽出する抽出ステップと、前記抽出ステップで抽出された前記第２のコピー制御情報に基づいて、前記主情報に含まれる前記第１のコピー制御情報を書き換える書き換え情報を生成する生成ステップと、前記生成ステップで生成された前記書き換え情報で、前記抽出ステップで抽出された前記主情報の前記第１のコピー制御情報を書き換える書き換えステップとを含む処理をコンピュータに実行させる。
【００３１】
本発明の第１の情報処理装置および方法、並びに記録媒体に記録されているプログラムにおいては、入力される情報から、第１のコピー制御情報を含む主情報と前記主情報の属性を表す補助情報が抽出され、抽出された前記補助情報に基づいて、第２のコピー制御情報が生成される。また、生成された前記第２のコピー制御情報が、抽出された前記主情報に付加される。
【００３２】
本発明の第２の情報処理装置および方法、並びに記録媒体に記録されているプログラムにおいては、入力される情報から、第１のコピー制御情報を含む主情報と、前記主情報に付加されている第２のコピー制御情報が抽出され、抽出された前記第２のコピー制御情報に基づいて、前記主情報に含まれる前記第１のコピー制御情報を書き換えるための書き換え情報が生成される。また、生成された前記書き換え情報で、抽出された前記主情報の前記第１のコピー制御情報が書き換えられる。
【発明の効果】
【００３３】
本発明によれば、コピーを正しく管理することができる。
【発明を実施するための最良の形態】
【００３４】
次に、本発明を適用したネットワークシステムの構成例について、図４を参照して説明する。図４においては、IRD５１、ノンコグニザントレコーダ５２、デジタル信号再生装置５３、およびコグニザントレコーダ５４が、IEEE１３９４シリアルバス５５を介して相互に接続されている。なお、双方向にデータを授受することが可能なIEEE１３９４シリアルバス５５には、各装置が、順次カスケードに接続されるが、説明の便宜上、IRD５１とデジタル信号再生装置５３の出力が、ノンコグニザントレコーダ５２とコグニザントレコーダ５４に供給されるように示されている。
【００３５】
IRD５１の受信回路６１は、図示せぬ衛星を介して送出されている放送電波を受信し、所定のチャンネルのトランスポートストリーム（transport stream）をCCI解析回路６２に出力する。このトランスポートストリームは、MPEG2 systems（ISO/IEC13818-1）のトランスポートストリームとされており、１８８バイト長のトランスポートパケット（transport packet）単位で、ビデオストリームとオーディオストリームが多重化されている。
【００３６】
CCI解析回路６２は、入力されたトランスポートストリームから、そこに含まれているCCIを抽出し、CCI-EMIエンコーダ６３に出力される。CCIのトランスポートストリーム中の格納場所はアプリケーションによって異なるが、例えば、ビデオレイヤのcopyright_extension、または、PES_packetのPES_scrambling_controlなどとされる。CCIの内容には、コピー禁止（copy prohibited）、１回コピー可（copy once）、およびコピーフリー（copy free）の３種類がある。
【００３７】
CCI-EMIエンコーダ６３は、CCI解析回路６２より入力されたCCIに基づいて、暗号化モード情報（Encryption_Mode Indicator（EMI））を生成し、パケット化回路６４に出力している。このEMIは、CCIとともに、DTDG（Data Transmission Discussion Group）で標準化作業が行われているものであり、EMIのタイプには、モードＡ（proh）、モードＢ（once）、およびfreeの３種類がある。モードＡは、copy prohibitedデータ用のモードであり、モードＢは、copy onceデータ用のモードであり、freeは、copy freeの暗号化されていないコンテンツデータ用のモードである。パケット化回路６４は、CCI解析回路６２より供給されたトランスポートストリームのトランスポートパケットをIEEE１３９４シリアルバス５５のアイソクロナスパケットにパケット化し、出力される。このとき、パケット化回路６４は、トランスポートパケットを、EMIに基づいて暗号化する。
【００３８】
デジタル信号再生装置５３は、ストレージメディア８１（このストレージメディアは、ノンコグニザントレコーダ５２により記録されたストレージメディア７６、またはコグニザントレコーダ５４により記録されたストレージメディア１０１に対応する）に記録されているデータを再生し、記録フォーマット復号器８２で復号される。記録フォーマット復号器８２は、ストレージメディア８１より供給されるビデオストリーム中のCPI（Copy_Permission_Indicator）を抽出し、これをCPI-EMIエンコーダ８３に出力するとともに、入力されたデータを復号し、そのトランスポートパケットをパケット化回路８４に出力している。
【００３９】
CPIの詳細については後述するが、このCPIは、ノンコグニザントレコーダ５２の記録フォーマット符号化器７４、またはコグニザントレコーダ５４の記録フォーマット符号化器９９により、トランスポートパケットに付加されるものである。このCPIは、図５に示すように２ビットで表され、その値００はcopy freeを表し、その値１０はcopy onceを表し、その値１１はcopy prohibitedを表している。
【００４０】
CPI-EMIエンコーダ８３は、入力されたCPIに基づいてEMIを生成し、パケット化回路８４に出力する。パケット化回路８４は、記録フォーマット復号器８２より供給されるトランスポートパケットを、CPI-EMIエンコーダ８３の出力するEMIに基づいて暗号化するとともに、アイソクロナスパケットにパケット化し、そのアイソクロナスパケットに、そのEMIを付加する。
【００４１】
上述したIRD１のパケット化回路６４およびデジタル信号再生装置５３のパケット回路８４が生成するアイソクロナスパケットは、図６に示すような構成とされている。同図に示すように、先頭の８バイトは１３９４headerとされ、次の８バイトはCIP（Common Isochronous Paket）headerとされ、それに続いてdata fieldが配置されている。１３９４headerには、データ長（data_length）、チャンネル番号（channel）などの他、上述したEMIが配置されている。CIPheaderには、データの送出元を表すソースノードID（SID）の他、DBS（Data Block Size in quadlets）、FNなどが配置される。DBSはデータブロックの大きさ（パケット化の単位）を記録するフィールドであり、FNはパケット化する際に分割した数を記述するフィールドである。CIPheaderにはまた、DBC（data block continuity counter）が配置されている。
【００４２】
data fieldのdata_fieldには、トランスポートストリームのデータが配置される。すなわち、CCI解析回路６２の出力するトランスポートストリームの１８８バイトのトランスポートパケットには、図７に示すように、４バイトのソースパケットヘッダが付加され、１９２バイトのソースパケットが構成される。１個のソースパケットは、２４バイト×８個のデータブロックに分割される。そして、Ｎ個のデータブロックが、data_field中に配置される。この１個のアイソクロナスパケットに含まれるデータブロックの数Ｎは、０個、１個、２個、もしくは４個とされるか、または８個の倍数個とされ、このＮの値が、CIPheaderのDBCに記述される。
【００４３】
ノンコグニザントレコーダ５２のデパケット化回路７１は、IRD５１またはデジタル信号再生装置５３から、IEEE１３９４シリアルバス５５を介して伝送されてきたアイソクロナスパケットをデパケット化し、１３９４headerに含まれるEMIを抽出し、EMI解析回路７２に出力する。また、デパケット化回路７１は、アイソクロナスパケット中のdata_fieldに配置されていたトランスポートストリームのトランスポートパケットを抽出し、EMIに基づいて解読（平文化）し、それを記録フォーマット符号化器７４に供給する。
【００４４】
EMI解析回路７２は、入力されたEMIを解析し、解析した結果をEMI-CPIエンコーダ７３に出力している。EMI-CPIエンコーダ７３は、入力されたEMIに対応するCPIを生成し、記録フォーマット符号化器７４に出力する。すなわち、このEMI-CPIエンコーダ７３は、デジタル信号再生装置５３のCPI-EMIエンコーダ８３と逆の処理を行うものである。
【００４５】
発生回路７５は、CCI_invalid_flagとして値１を発生し、記録フォーマット符号化器７４に出力している。記録フォーマット符号化器７４は、デパケット化回路７１より供給されるトランスポートパケットを符号化し、その外部に、EMI-CPIエンコーダ７３より供給されるCPIと、発生回路７５より供給されるCCI_invalid_flagを付加し、図８に示すようなVDR_MPEG2_transport_streamのシンタックスのデータを生成し、ストレージメディア７６に供給し、記録させる。
【００４６】
図８に示すように、記録フォーマット符号化器７４が出力するVDR_MPEG2_transport_streamは、transport_packet()（デパケット化回路７１の出力するトランスポートパケットはここに配置される）にTSP_extra_information()が付加された構成とされている。
【００４７】
このTSP_extra_information()のシンタックスは、図９に示されている。同図に示すように、このTSP_extra_information()には、EMI-CPIエンコーダ７３が出力したCPI（copy_permission_indicator）と、発生回路７５が出力したCCI_invalid_flagが含まれている。
【００４８】
なお、図１０に示すように、そのTSP_extra_information()は、transport_packet()の前に付加しても良い。
【００４９】
コグニザントレコーダ５４においては、デパケット化回路９１が、IEEE１３９４シリアルバス５５を介して入力されたアイソクロナスパケットをデパケット化し、１３９４ヘッダに含まれているEMIを抽出し、EMI解析回路９６に出力する。また、デパケット化回路９１は、EMIに基づいて、アイソクロナスパケットのデータフィールドに含まれていたトランスポートパケットを解読し、CCI解析回路９２とCCI書き換え回路９５に出力する。
【００５０】
EMI解析回路９６は、入力されたEMIを解析し、解析結果をEMI-CCIエンコーダ９７、またはEMI-CPIエンコーダ９８に出力している。EMI-CCIエンコーダ９７は、入力されたEMIに対応するCCIを生成し、スイッチ９４の接点Ｂを介して、CCI書き換え回路９５に出力している。EMI-CPIエンコーダ９８は、入力されたEMIに対応するCPIを生成し、記録フォーマット符号化器９９に出力している。このEMI解析回路９６とEMI-CPIエンコーダ９８は、ノンコグニザントレコーダ５２のEMI解析回路７２およびEMI-CPIエンコーダ７３と基本的に同様の処理を行うものである。
【００５１】
CCI解析回路９２は、入力されたトランスポートストリームのトランスポートパケットの内部に含まれるCCIを解析し、その解析結果をCCIエンコーダ９３に出力している。CCIエンコーダ９３は、入力されたCCIを新たなCCIに変更し、新たなCCIを、スイッチ９４の接点Ａを介して、CCI書き換え回路９５に出力している。このCCI解析回路９２およびCCIエンコーダ９３は、図１に示した、従来のデジタル信号記録装置２のCCI解析回路２５およびCCIエンコーダ２６と基本的に同様のものである。
【００５２】
記録が行われる前に、CCI書き換え回路９５は、IEEE１３９４シリアルバス５５を介して、ストレージメディア８１が、ノンコグニザントレコーダ５２により記録されたストレージメディア７６、またはコグニザントレコーダ５４により記録されたストレージメディア１０１のいずれであるかを認識する。
【００５３】
ストレージメディア８１が、ノンコグニザントレコーダ５２により記録されたストレージメディア７６である場合、スイッチ９４は、接点Ａ側に切り替えられ、CCI書き換え回路９５が、デパケット化回路９１より供給されるトランスポートパケットに含まれるCCIを、CCIエンコーダ９３より供給されるCCIで書き換え、記録フォーマット符号化器９９に出力している。記録フォーマット符号化器９９にはまた、発生回路１００の出力する、トランスポートパケットに含まれるCCIが有効であることを表す値（０）のCCI_invalid_flagが供給されている。これに対して、ノンコグニザントレコーダ５２の発生回路７５が出力するCCI_invalid_flagは、トランスポートパケットに含まれるCCIが無効であることを表す値（１）である。
【００５４】
また、ストレージメディア８１が、コグニザントレコーダ５４により記録されたストレージメディア１０１である場合、スイッチ９４は、接点Ｂ側に切り替えられ、EMI解析回路９６から出力されたEMIの値が、EMI-CCIエンコーダ９７に入力される。CCI書き換え回路９５は、デパケット化回路９１より供給されるトランスポートパケットに含まれるCCIを、EMI-CCIエンコーダ９７より供給されるCCIで書き換え、記録フォーマット符号化器９９に出力している。このとき、記録フォーマット符号化器９９には、発生回路１００の出力する値（０）のCCI_invalid_flagが供給されている。
【００５５】
記録フォーマット符号化器９９は、CCI書き換え回路９５より供給されるトランスポートパケットをストレージメディア用の記録フォーマットに符号化し（上述した場合と同様に、図８に示すVDR_MPEG2_transport_streamのフォーマットとし）、それをストレージメディア１０１に供給し、記録する。
【００５６】
次に、その動作について、IRD５１またはデジタル信号再生装置５３より出力したデータを、ノンコグニザントレコーダ５２またはコグニザントレコーダ５４において記録する場合を例として説明する。
【００５７】
IRD５１の出力を記録する場合、受信回路６１は、所定のチャンネルの放送電波を受信し、トランスポートストリームを出力する。上述したように、このトランスポートストリームは、MPEG2 systems（ISO/IEC13818-1）で規定するトランスポートストリームである。CCI解析回路６２は、入力されたトランスポートストリームの所定の格納場所に格納されているCCIを抽出し、これを解析し、解析結果をCCI-EMIエンコーダ６３に出力する。CCIの格納場所は、アプリケーションによって定義されるものであり、例えば、ビデオレイヤのcopyright_extensionまたはPES_packetのPES_scrambling_controlとされている。CCIは、コピー禁止（copy prohibited）、１回コピー可（copy once）、またはコピーフリー（copy free）のいずれかとされている。
【００５８】
CCI-EMIエンコーダ６３は、入力されたCCIに基づいてEMIを決定する。上述したように、このEMIは、アイソクロナスパケットのペイロード（data_field）に含まれるデータが暗号化されているモードを表す情報であり、Ａモード、Ｂモード、またはフリーの３種類のモードのいずれかとされる。CCIがコピー禁止であるとき、EMIはモードＡとされる。CCIが１回コピー可のとき、EMIはモードＢとされる。CCIがコピーフリーのとき、EMIはフリー（暗号化されていない）とされる。
【００５９】
CCI解析回路６２は、受信回路６１より供給されたトランスポートストリームのトランスポートパケットをパケット化回路６４に出力する。パケット化回路６４は、CCI解析回路６２より供給されたトランスポートパケットをMPEG TSプロトコルに従ってアイソクロナスパケット化処理を実行する。すなわち、図７に示すように、１８８バイトのトランスポートパケットの先頭に、４バイトのソースパケットヘッダが付加され、１９２バイトのソースパケットが構成される。このソースパケットが、２４バイト×８個のデータブロックに分割され、そのうちのＮ個のデータブロックがアイソクロナスパケットのdata_fieldに書き込まれる。このデータは、EMIに対応して暗号化される。すなわち、EMIがモードＡのとき、モードＡでデータが暗号化され、EMIがモードＢのとき、データはモードＢで暗号化される。EMIがフリーである場合、データは暗号化されない。このEMIは、図６に示すように、１３９４headerに付加される。
【００６０】
パケット化回路６４で生成されたアイソクロナスパケットは、IEEE１３９４シリアルバス５５に出力される。
【００６１】
デジタル信号再生装置５３で再生した信号を記録する場合には、デジタル信号再生装置５３においてストレージメディア８１が再生され、再生されたデータが記録フォーマット復号器８２で復号される。記録フォーマット復号器８２は、復号した結果得られたトランスポートパケットをパケット化回路８４に出力するとともに、トランスポートパケットの外部に付加されているCPIを抽出し、CPI-EMIエンコーダ８３に出力する。CPI-EMIエンコーダ８３は、入力されたCPIに対応するEMIを生成し、パケット化回路８４に出力する。このCPIは、図５に示したように、コピー禁止（１１）、１回コピー可（１０）、またはコピーフリー（００）のいずれかとされている。CPI-EMIエンコーダ８３は、CPIがコピー禁止であるとき、EMIをモードＡとし、CPIが１回コピー可のとき、EMIをモードＢとし、CPIがコピーフリーのとき、EMIをフリーとする。
【００６２】
パケット化回路８４は、記録フォーマット復号器８２より入力されたトランスポートパケットを、MPEG TSプロトコルに従ってアイソクロナスパケット化する処理を実行する。すなわち、パケット化回路８４は、IRD１のパケット化回路６４と実質的に同様の処理を実行する。そして、パケット化回路８４で生成されたアイソクロナスパケットが、IEEE１３９４シリアルバス５５に出力される。
【００６３】
IRD５１の出力するアイソクロナスパケットと、デジタル信号再生装置５３の出力するアイソクロナスパケットは、IEEE１３９４シリアルバス５５の１２５μｓの周期の異なるタイミングのスロットを利用して伝送される。
【００６４】
ノンコグニザントレコーダ５２における記録処理は次のようになる。デパケット化回路７１は、IEEE１３９４シリアルバス５５を介して入力されたアイソクロナスパケットをデパケット化し、アイソクロナスパケットの１３９４ヘッダに含まれるEMIを抽出し、EMI解析回路７２に出力する。また、デパケット化回路７１は、data_fieldに保持されているトランスポートストリームのトランスポートパケットを抽出し、１３９４headerのEMIに基づいて解読（非暗号化）し、記録フォーマット符号化器７４に出力する。
【００６５】
EMI解析回路７２は、入力されたEMIを解析し、解析結果をEMI-CPIエンコーダ７３に出力する。トランスポートパケットが、複数のアイソクロナスパケットに分割されており、それぞれのEMIが異なる場合には、EMI解析回路７２は、それぞれのアイソクロナスパケットのEMIのうち、最強のコピー制限モードに対応するEMIを代表値として、これをEMI-CPIエンコーダ７３に出力する。例えば、トランスポートパケットが、２個のアイソクロナスパケットに分割されており、それぞれのアイソクロナスパケットのEMIが、mode A（proh）とcopy freeであった場合、EMIの代表値は、mode A（proh）とされる。
【００６６】
EMI-CPIエンコーダ７３は、EMI解析回路７２から入力されたEMIを対応するCPIに変換する。EMIがcopy onceのとき、CPIはcopy prohibitedとされ、EMIがcopy freeのとき、CPIはcopy freeとされる。EMI-CPIエンコーダ７３の出力するCPIは、記録フォーマット符号化器７４に出力される。
【００６７】
なお、EMIがcopy prohibitedのとき、EMI-CPIエンコーダ７３は、記録フォーマット符号化器７４を制御し、記録動作を禁止させる。
【００６８】
発生回路７５は、CCI_invalid_flagとして、値１を記録フォーマット符号化器７４に出力する。すなわち、ノンコグニザントレコーダ５２は、トランスポートパケットの内部のCCIを理解することができない（CCI解析回路を有していない）。そこで、いまストレージメディア７６に記録されようとしているトランスポートパケットに含まれるCCIは、有効な値ではない（無効の値である）ことを表すフラグを記録するようにするのである。
【００６９】
記録フォーマット符号化器７４は、デパケット化回路７１より供給されたトランスポートパケットを、ストレージメディア用の記録フォーマットに符号化し、図８に示す構造を有するVDR_MPEG2_transport_stream()として、ストレージメディア７６に記録する。図８に示すように、このVDR_MPEG2_transport_stream()には、TSP_extra_information()が含まれており、このTSP_extra_information()には、図１０に示すように、CPI（copy_permission_indicator）と、CCI_invalid_flagが保持されている。
【００７０】
一方、コグニザントレコーダ４においては、デパケット化回路９１がIEEE１３９４シリアルバス５５を介してアイソクロナスパケットを受け取ると、アイソクロナスパケットの１３９４ヘッダに含まれるEMIを抽出し、これをEMI解析回路９６に出力する。また、デパケット化回路９１は、アイソクロナスパケットのdata_fieldに保持されていたトランスポートストリームのトランスポートパケットを分離し、EMIに基づいて解読した後、CCI書き換え回路９５とCCI解析回路９２に出力する。
【００７１】
CCI解析回路９２は、IRD５１のCCI解析回路６２と同一の機能を有しており、入力されたトランスポートパケットの内部に格納されているCCIを解析し、それをCCIエンコーダ９３に出力する。CCIのトランスポートパケット内の格納場所は、アプリケーションによって定義されている。CCIエンコーダ９３は、CCI解析回路９２より入力されたCCIを必要に応じて更新する。入力されたCCIがcopy onceのとき、新たなCCIはcopy prohibitedとされ、入力されたCCIがcopy freeであるとき、新たなCCIはcopy prohibitedとされる。新たなCCIは、CCIエンコーダ９３からCCI書き換え回路９５に供給される。なお、CCIエンコーダ９３は、CCI解析回路９２より入力されたCCIがcopy prohibitedであるとき、CCI書き換え回路９５を制御し、記録動作を禁止させる。
【００７２】
CCI書き換え回路９５は、デパケット化回路９１より入力されたトランスポートパケットの中のCCIを、CCIエンコーダ９３より供給されたCCIで書き換えた後、記録フォーマット符号化器９９に出力する。
【００７３】
EMI解析回路９６、EMI-CPIエンコーダ９８、および記録フォーマット符号化器９９は、基本的にノンコグニザントレコーダ５２のEMI解析回路７２、EMI-CPIエンコーダ７３、および記録フォーマット符号化器７４と同様の処理を行う。すなわち、デパケット化回路９１からCCI書き換え回路９５を介して入力されたトランスポートパケットに、EMI-CPIエンコーダ９８より供給されるCPIと、発生回路１００より供給されるCCI＿invalid_flagを付加して、図８に示すVDR_MPEG2_transport_streamとしてストレージメディア１０１に記録する。ただし、発生回路１００が出力するCCI_invalid_flagは、その値が０とされている。すなわち、コグニザントレコーダ５４は、CCI解析回路９２を有しており、トランスポートパケット内に保持されているCCIを解析する機能を有している。このCCIは、上述したように、CCIエンコーダ９３とCCI書き換え回路９５で、新たな（正しい）CCIに書き換えられているので、ストレージメディア１０１に記録されるトランスポートパケットに含まれるCCIは、正しい値のものとなっている。そこで、このCCIが有効なCCIであることを表すように、CCI_invalid_flagが０とされる。
【００７４】
以上のようにして、IEEE１３９４シリアルバス５５を介して伝送されてきたトランスポートストリームを記録したストレージメディア７６またはストレージメディア１０１は、図１１に示すような再生装置で再生される。この再生装置は、ストレージメディア１０１（または７６）から再生された信号を記録フォーマット復号器１１１で復号し、得られたトランスポートストリームのトランスポートパケットをスイッチ１１３の接点ｃ１を介してCCI書き換え回路１１４に出力するか、またはスイッチ１１３の接点ｃ０を介してスイッチ１１５の接点ｃ０に出力される。また、記録フォーマット復号器１１１は、入力された信号からCPIとCCI_invalid_flagを分離し、CPIをCPI-CCIエンコーダ１１２に出力し、CCI_invalid_flagをスイッチ１１３とスイッチ１１５に、その切替制御信号として出力される。
【００７５】
CPI-CCIエンコーダ１１２は、入力されたCPIをCCIに変換し、CCI書き換え回路１１４に出力している。CCI書き換え回路１１４は、スイッチ１１３の接点ｃ１を介して記録フォーマット復号器１１１より入力されたトランスポートパケットのCCIをCPI-CCIエンコーダ１１２より供給されたCCIで書き換えて、スイッチ１１５の接点ｃ１に出力している。スイッチ１１５は、接点ｃ１または接点ｃ０のいずれか一方に供給されている信号を選択し、出力端子１１６から出力される。
【００７６】
次に、その動作について説明する。ストレージメディア７６またはストレージメディア１０１は、上述したように、図８に示すVDR_MPEG2_transport_streamのフォーマットで記録されており、記録フォーマット復号器１１１は、このフォーマットの信号からトランスポートパケットを分離し、これをスイッチ１１３に出力する。また、記録フォーマット復号器１１１は、入力されたVDR_MPEG2_transport_stream()に含まれるCPIとCCI_invalid_flagを抽出し、それぞれをCPI-CCIエンコーダ１１２またはスイッチ１１３，１１５に出力する。
【００７７】
スイッチ１１３，１１５は、CCI_invalid_flagが０のとき、すなわち、記録フォーマット復号器１１１より出力されたトランスポートパケットのCCIが有効であるとき、スイッチ１１３，１１５を、それぞれ接点ｃ０側に切り替えさせる。従って、いま、再生されているのが、コグニザントレコーダ５４により記録されたストレージメディア１０１である場合、記録フォーマット復号器１１１より出力されたトランスポートパケットが、スイッチ１１３の接点ｃ０、スイッチ１１５の接点ｃ０を介して出力端子１１６からそのまま出力される。
【００７８】
これに対して、CCI_invalid_flagが１であるとき、すなわち、記録フォーマット復号器１１１の出力するトランスポートパケットに含まれるCCIが無効なCCIであるとき、スイッチ１１３，１１５は、接点ｃ１側に切り替えられる。すなわち、いま再生されているのが、ノンコグニザントレコーダ５２により記録されたストレージメディア７６である場合、スイッチ１１３，１１５は、接点ｃ１側に切り替えられることになる。
【００７９】
CPI-CCIエンコーダ１１２は、入力されたCPIを対応するCCIに変換する。すなわち、CPIがcopy onceのとき、CCIはcopy onceとされ、CPIがcopy prohibitedのとき、CCIはcopy prohibitedされ、CPIがcopy freeのとき、CCIはcopy freeとされる。
【００８０】
CCI書き換え回路１１４は、記録フォーマット復号器１１１からスイッチ１１３の接点ｃ１を介して入力されたトランスポートパケットに含まれるCCIを、CPI-CCIエンコーダ１１２より供給されるCCIで書き換えて、スイッチ１１５の接点ｃ１を介して出力端子１１６から出力する。
【００８１】
このように、この再生装置においては、ノンコグニザントレコーダ５２により記録されたストレージメディア７６を再生する場合にも、そのCCIを書き換えるようにしているので、出力されたトランスポートストリームは、コグニザントレコーダ５４で記録した、ストレージメディア１０１から再生したトランスポートストリームと同様のトランスポートストリームとなる。従って、以後、CCIを解析可能なコグニザントレコーダにより記録しようとした場合、そのコピー制御情報に対応して、正確にコピーを管理することが可能となる。
【００８２】
以上においては、CCIとCCI_invalid_flagを各トランスポートパケット毎に記録するようにしたが、複数の任意の数のトランスポートパケット毎に記録したり、１つの番組単位、または、１つのカット（シーン）毎に記録するようにするなど、所定の単位毎に記録するようにしてもよい。
【００８３】
また、CPIとCCI_invalid_flagをトランスポートストリームとは独立した別のストリーム中に記録するようにしてもよい。例えば、複数のトランスポートストリームの番組がストレージメディアに記録される場合、ストレージメディアの記録内容を表すデータベースストリームを用意し、そこにCPIとCCI_invalid_flagを記録するようにしてもよい。
【００８４】
さらに、以上においては、トランスポートストリームを記録する場合を例として説明したが、本発明は、プログラムストリームを記録する場合にも適用することが可能である。この場合、プログラムストリームは、図１２のVDR_MPEG2_program_streamの構成とされる。そこには、PSP_extra_information()が配置され、その中に、図１３に示すように、CPIとCCI_invalid_flagが記録される。
【００８５】
さらに、DVストリームを記録する場合にも、本発明は適用することができる。この場合、DVストリームは、図１４のVDR_ST_DVCR_streamに示す構成とされ、その中のSD_DVCR_frame_exra_information()中に、図１５に示すように、CPIとCCI_invalid_flagが配置される。
【００８６】
なお、本明細書において、システムとは、複数の装置により構成される装置全体を表すものである。
【００８７】
なお、上記したような処理を行うコンピュータプログラムをユーザに提供する記録媒体としては、磁気ディスク、CD-ROM、固体メモリなどの他、ネットワーク、衛星などの通信媒体を利用することができる。
【図面の簡単な説明】
【００８８】
【図１】従来のネットワークシステムの構成例を示すブロック図である。
【図２】トランスポートパケットのフォーマットを説明する図である。
【図３】TSP_extra_headerを説明する図である。
【図４】本発明の情報処理装置を応用したネットワークシステムの構成例を示すブロック図である。
【図５】copy_permission_indicatorを説明する図である。
【図６】アイソクロナスパケットを説明する図である。
【図７】ソースパケットを説明する図である。
【図８】VDR_MPEG2_transport_streamを説明する図である。
【図９】TSP_extra_informationを説明する図である。
【図１０】VDR_MPEG2_transport_streamを説明する他の図である。
【図１１】本発明を適用した情報再生装置の構成例を示すブロック図である。
【図１２】VDR_MPEG2_program_streamを説明する図である。
【図１３】PSP_extra_informationを説明する図である。
【図１４】VDR_SD_DVCR_streamを説明する図である。
【図１５】SD_DVCR_frame_extra_informationを説明する図である。
【符号の説明】
【００８９】
５１  IRD，  ５２  ノンコグニザントレコーダ，  ５３  デジタル信号再生装置，  ５４  コグニザントレコーダ，  ６１  受信回路，  ６２  CCI解析回路，  ６３  CCI-EMIエンコーダ，  ６４  パケット化回路，  ７１  デパケット化回路，  ７２  EMI解析回路，  ７３  EMI-CPIエンコーダ，  ７４  記録フォーマット符号化器，  ７５  発生回路，  ７６  ストレージメディア，  ９１  デパケット化回路，  ９２  CCI解析回路，  ９３  CCIエンコーダ，  ９４  スイッチ,  ９５  CCI書き換え回路，  ９６  EMI解析回路，  ９７  EMI-CCIエンコーダ,  ９８  EMI-CPIエンコーダ，  ９９  記録フォーマット符号化器，  １００  発生回路，  １０１  ストレージメディア
【図１】
2008103072.tif 000003
【図２】
2008103072.tif 000004
【図３】
2008103072.tif 000005
【図４】
2008103072.tif 000006
【図５】
2008103072.tif 000007
【図６】
2008103072.tif 000008
【図７】
2008103072.tif 000009
【図８】
2008103072.tif 000010
【図９】
2008103072.tif 000011
【図１０】
2008103072.tif 000012
【図１１】
2008103072.tif 000013
【図１２】
2008103072.tif 000014
【図１３】
2008103072.tif 000015
【図１４】
2008103072.tif 000016
【図１５】
2008103072.tif 000017
【手続補正書】
【提出日】平成19年11月19日(2007.11.19)
【手続補正１】
【補正対象書類名】特許請求の範囲
【補正対象項目名】全文
【補正方法】変更
【補正の内容】
【特許請求の範囲】
【請求項１】
入力される情報から、第１のコピー制御情報を含む主情報と、前記主情報の属性を表す補助情報を抽出する抽出手段と、
前記補助情報に基づいて、第２のコピー制御情報を生成する生成手段と、
前記生成手段により生成された前記第２のコピー制御情報を、前記主情報と併せて、少なくとも一つのヘッダの中に記録する記録手段と
を備える情報処理装置。
【請求項２】
前記生成手段は、さらに、前記第１のコピー制御情報を認識し、処理することが可能な装置により記録された前記主情報であるかどうかに基づいて、前記第２のコピー制御情報の有効性を表す情報を生成する
請求項１に記載の情報処理装置。
【請求項３】
前記主情報は、トランスポートストリームであり、
前記補助情報は、前記主情報が暗号化されているモードを表す情報である
請求項１に記載の情報処理装置。
【請求項４】
前記第２のコピー制御情報は、前記トランスポートストリームのそれぞれのトランスポートパケットのヘッダに記録される
請求項３に記載の情報処理装置。
【請求項５】
前記情報は、IEEE1394デジタルインタフェースを介して入力され、
前記補助情報は、EMIである
請求項１に記載の情報処理装置。
【請求項６】
入力された前記情報を、それぞれがEMIを有する複数のアイソクロナスパケットに分離する分離手段と、
入力された前記情報の複数のアイソクロナスパケットが有するEMIの中から、最も強いコピーの制限のモードを選択する解析手段と
をさらに備える請求項１に記載の情報処理装置。
【請求項７】
EMIにより表される最も強いコピーの制限のモードに対応するCPIを生成する生成手段をさらに備える
請求項６に記載の情報処理装置。
【請求項８】
入力される情報から、第１のコピー制御情報を含む主情報と、前記主情報の属性を表す補助情報を抽出する抽出ステップと、
前記補助情報に基づいて、第２のコピー制御情報を生成する生成ステップと、
前記生成ステップの処理により生成された前記第２のコピー制御情報を、前記主情報と併せて、少なくとも一つのヘッダの中に記録する記録ステップと
を含む情報処理装置方法。
【請求項９】
前記第１のコピー制御情報を認識し、処理することが可能な装置により記録された前記主情報であるかどうかに基づいて、前記第２のコピー制御情報の有効性を表す情報を生成する生成ステップをさらに含む
請求項８に記載の情報処理方法。
【請求項１０】
前記主情報は、トランスポートストリームであり、
前記補助情報は、前記主情報が暗号化されているモードを表す情報である
請求項８に記載の情報処理方法。
【請求項１１】
前記第２のコピー制御情報は、前記トランスポートストリームのそれぞれのトランスポートパケットのヘッダに記録される
請求項８に記載の情報処理方法。
【請求項１２】
前記情報は、IEEE1394デジタルインタフェースを介して入力され、
前記補助情報は、EMIである
請求項８に記載の情報処理方法。
【請求項１３】
入力された前記情報を、それぞれがEMIを有する複数のアイソクロナスパケットに分離する分離ステップと、
入力された前記情報の複数のアイソクロナスパケットが有するEMIの中から、最も強いコピーの制限のモードを選択する解析ステップと
をさらに含む請求項８に記載の情報処理方法。
【請求項１４】
EMIにより表される最も強いコピーの制限のモードに対応するCPIを生成する生成ステップをさらに含む
請求項１３に記載の情報処理方法。
【請求項１５】
入力される情報から、第１のコピー制御情報を含む主情報と前記主情報の属性を表す補助情報を抽出する抽出手段と、
前記主情報から、前記第１のコピー制御情報を抽出し、解析する解析手段と、
前記解析手段の解析結果に対応して、前記主情報の前記第１のコピー制御情報を新しいコピー制御情報に書き換える書き換え手段と、
前記抽出手段により抽出された前記補助情報に基づいて、第２のコピー制御情報を生成する生成手段と、
前記生成手段により生成された前記第２のコピー制御情報を、前記主情報と併せて、少なくとも一つのヘッダの中に記録する記録手段と
を備える情報処理装置。
【請求項１６】
前記生成手段は、さらに、前記第１のコピー制御情報が有効である場合に、新しい前記第１のコピー制御情報を生成する
請求項１５に記載の情報処理装置。
【請求項１７】
前記第１の制御情報が有効であるかは、前記第１のコピー制御情報を認識し、処理することが可能な装置により記録された前記主情報であるかどうかに基づいて決定される
請求項１６に記載の情報処理装置。
【請求項１８】
前記主情報は、トランスポートストリームであり、
前記補助情報は、前記主情報が暗号化されているモードを表す情報である
請求項１５に記載の情報処理装置。
【請求項１９】
前記第２のコピー制御情報は、前記トランスポートストリームのそれぞれのトランスポートパケットのヘッダに記録される
請求項１８に記載の情報処理装置。
【請求項２０】
前記情報は、IEEE1394デジタルインタフェースを介して入力され、
前記補助情報は、EMIである
請求項１５に記載の情報処理装置。
【請求項２１】
入力される情報から、第１のコピー制御情報を含む主情報と前記主情報の属性を表す補助情報を抽出する抽出ステップと、
前記主情報から、前記第１のコピー制御情報を抽出し、解析する解析ステップと、
前記解析ステップの処理による解析結果に対応して、前記主情報の前記第１のコピー制御情報を新しいコピー制御情報に書き換える書き換えステップと、
前記抽出ステップの処理により抽出された前記補助情報に基づいて、第２のコピー制御情報を生成する生成ステップと、
前記生成ステップの処理により生成された前記第２のコピー制御情報を、前記主情報と併せて、少なくとも一つのヘッダの中に記録する記録ステップと
を含む情報処理方法。
【請求項２２】
入力された前記情報を、それぞれがEMIを有する複数のアイソクロナスパケットに分離する分離ステップと、
入力された前記情報の複数のアイソクロナスパケットが有するEMIの中から、最も強いコピーの制限のモードを選択する解析ステップと
をさらに含む請求項２１に記載の情報処理方法。
【請求項２３】
EMIにより表される最も強いコピーの制限のモードに対応するCPIを生成する生成ステップをさらに含む
請求項２２に記載の情報処理方法。
【請求項２４】
前記第１のコピー制御情報を認識し、処理することが可能な装置により記録された前記主情報であるかどうかに基づいて、前記第２のコピー制御情報の有効性を表す情報を生成する生成ステップをさらに含む
請求項２２に記載の情報処理方法。
【請求項２５】
前記主情報は、トランスポートストリームであり、
前記補助情報は、前記主情報が暗号化されているモードを表す情報である
請求項２２に記載の情報処理方法。
【請求項２６】
前記第２のコピー制御情報は、前記トランスポートストリームのそれぞれのトランスポートパケットのヘッダに記録される
請求項２２に記載の情報処理方法。
【請求項２７】
前記情報は、IEEE1394デジタルインタフェースを介して入力され、
前記補助情報は、EMIである
請求項２２に記載の情報処理方法。
【請求項２８】
入力された前記情報を、それぞれがEMIを有する複数のアイソクロナスパケットに分離する分離ステップと、
入力された前記情報の複数のアイソクロナスパケットが有するEMIの中から、最も強いコピーの制限のモードを選択する解析ステップと
をさらに含む請求項２２に記載の情報処理方法。
【請求項２９】
EMIにより表される最も強いコピーの制限のモードに対応するCPIを生成する生成ステップをさらに含む
請求項２８に記載の情報処理方法。
【請求項３０】
入力される情報から、第１のコピー制御情報を含む主情報と前記主情報の属性を表す補助情報を抽出する抽出手段と、
前記補助情報に基づいて、前記第１のコピー制御情報を生成する第１の生成手段と第２のコピー制御情報を生成する第２の生成手段と、
前記第２の生成手段により生成された前記第２のコピー制御情報を、前記主情報と併せて、少なくとも一つのヘッダの中に記録する記録手段と
を備える情報処理装置。
【請求項３１】
前記第２の生成手段は、さらに、新しい前記第１のコピー制御情報を生成する
請求項３０に記載の情報処理装置。
【請求項３２】
前記第１の制御情報が有効であるかは、前記第１のコピー制御情報を認識し、処理することが可能な装置により記録された前記主情報であるかどうかに基づいて決定される
請求項３１に記載の情報処理装置。
【請求項３３】
前記主情報は、トランスポートストリームであり、
前記補助情報は、前記主情報が暗号化されているモードを表す情報である
請求項３０に記載の情報処理装置。
【請求項３４】
前記第２のコピー制御情報と前記第１のコピー制御情報は、前記トランスポートストリームのそれぞれのトランスポートパケットのヘッダに記録される
請求項３３に記載の情報処理装置。
【請求項３５】
前記情報は、IEEE1394デジタルインタフェースを介して入力され、
前記補助情報は、EMIである
請求項３０に記載の情報処理装置。
【請求項３６】
入力される情報から、第１のコピー制御情報を含む主情報と前記主情報の属性を表す補助情報を抽出する抽出ステップと、
前記補助情報に基づいて、前記第１のコピー制御情報と第２のコピー制御情報を生成する生成ステップと、
前記生成ステップの処理により生成された前記第２のコピー制御情報を、前記主情報と併せて、少なくとも一つのヘッダの中に記録する記録ステップと
を含む情報処理方法。
【請求項３７】
入力された前記情報を、それぞれがEMIを有する複数のアイソクロナスパケットに分離する分離ステップと、
入力された前記情報の複数のアイソクロナスパケットが有するEMIの中から、最も強いコピーの制限のモードを選択する解析ステップと
をさらに含む請求項３６に記載の情報処理方法。
【請求項３８】
EMIにより表される最も強いコピーの制限のモードに対応するCPIを生成する生成ステップをさらに含む
をさらに含む請求項３６に記載の情報処理方法。
【請求項３９】
前記第１のコピー制御情報を認識し、処理することが可能な装置により記録された前記主情報であるかどうかに基づいて、前記第２のコピー制御情報の有効性を表す情報を生成する生成ステップをさらに含む
請求項３６に記載の情報処理方法。
【請求項４０】
前記主情報は、トランスポートストリームであり、
前記補助情報は、前記主情報が暗号化されているモードを表す情報である
請求項３６に記載の情報処理方法。
【請求項４１】
前記第２のコピー制御情報と前記第１のコピー制御情報は、前記トランスポートストリームのそれぞれのトランスポートパケットのヘッダに記録される
請求項３６に記載の情報処理方法。
【請求項４２】
前記情報は、IEEE1394デジタルインタフェースを介して入力され、
前記補助情報は、EMIである
請求項３６に記載の情報処理方法。
【請求項４３】
入力された前記情報を、それぞれがEMIを有する複数のアイソクロナスパケットに分離する分離ステップと、
入力された前記情報の複数のアイソクロナスパケットが有するEMIの中から、最も強いコピーの制限のモードを選択する解析ステップと
をさらに含む請求項３６に記載の情報処理方法。
【請求項４４】
EMIにより表される最も強いコピーの制限のモードに対応するCPIを生成する生成ステップをさらに含む
請求項４３に記載の情報処理方法。
【手続補正２】
【補正対象書類名】明細書
【補正対象項目名】００１７
【補正方法】変更
【補正の内容】
【００１７】
本発明の第１の情報処理装置は、入力される情報から、第１のコピー制御情報を含む主情報と前記主情報の属性を表す補助情報を抽出する抽出手段と、前記抽出手段により抽出された前記補助情報に基づいて、第２のコピー制御情報を生成する生成手段と、前記生成手段により生成された前記第２のコピー制御情報を、前記主情報と併せて、少なくとも一つのヘッダの中に記録する記録手段とを備える。
【手続補正３】
【補正対象書類名】明細書
【補正対象項目名】００１８
【補正方法】変更
【補正の内容】
【００１８】
前記生成手段には、さらに、前記第１のコピー制御情報を認識し、処理することが可能な装置により記録された前記主情報であるかどうかに基づいて、前記第２のコピー制御情報の有効性を表す情報を生成させることができる。
【手続補正４】
【補正対象書類名】明細書
【補正対象項目名】００２０
【補正方法】変更
【補正の内容】
【００２０】
前記第２のコピー制御情報は、前記トランスポートストリームのそれぞれのトランスポートパケットのヘッダに記録されるようにすることができる。
【手続補正５】
【補正対象書類名】明細書
【補正対象項目名】００２２
【補正方法】変更
【補正の内容】
【００２２】
本発明の第１の情報処理装置には、入力された前記情報を、それぞれがEMIを有する複数のアイソクロナスパケットに分離する分離手段と、入力された前記情報の複数のアイソクロナスパケットが有するEMIの中から、最も強いコピーの制限のモードを選択する解析手段とをさらに設けることができる。
【手続補正６】
【補正対象書類名】明細書
【補正対象項目名】００２３
【補正方法】変更
【補正の内容】
【００２３】
EMIにより表される最も強いコピーの制限のモードに対応するCPIを生成する生成手段をさらに設けることができる。
【手続補正７】
【補正対象書類名】明細書
【補正対象項目名】００２４
【補正方法】変更
【補正の内容】
【００２４】
本発明の第１の情報処理方法は、入力される情報から、第１のコピー制御情報を含む主情報と、前記主情報の属性を表す補助情報を抽出する抽出ステップと、前記補助情報に基づいて、第２のコピー制御情報を生成する生成ステップと、前記生成ステップの処理により生成された前記第２のコピー制御情報を、前記主情報と併せて、少なくとも一つのヘッダの中に記録する記録ステップとを含む。
【手続補正８】
【補正対象書類名】明細書
【補正対象項目名】００２５
【補正方法】変更
【補正の内容】
【００２５】
前記第１のコピー制御情報を認識し、処理することが可能な装置により記録された前記主情報であるかどうかに基づいて、前記第２のコピー制御情報の有効性を表す情報を生成する生成ステップをさらに含むことができる。
【手続補正９】
【補正対象書類名】明細書
【補正対象項目名】００２６
【補正方法】変更
【補正の内容】
【００２６】
前記主情報は、トランスポートストリームであり、前記補助情報は、前記主情報が暗号化されているモードを表す情報であるようにすることができる。
【手続補正１０】
【補正対象書類名】明細書
【補正対象項目名】００２７
【補正方法】変更
【補正の内容】
【００２７】
前記第２のコピー制御情報は、前記トランスポートストリームのそれぞれのトランスポートパケットのヘッダに記録されるようにすることができる。
【手続補正１１】
【補正対象書類名】明細書
【補正対象項目名】００２８
【補正方法】変更
【補正の内容】
【００２８】
前記情報は、IEEE1394デジタルインタフェースを介して入力され、前記補助情報は、EMIであるようにすることができる。
【手続補正１２】
【補正対象書類名】明細書
【補正対象項目名】００２９
【補正方法】変更
【補正の内容】
【００２９】
入力された前記情報を、それぞれがEMIを有する複数のアイソクロナスパケットに分離する分離ステップと、入力された前記情報の複数のアイソクロナスパケットが有するEMIの中から、最も強いコピーの制限のモードを選択する解析ステップとをさらに含むことができる。
【手続補正１３】
【補正対象書類名】明細書
【補正対象項目名】００３０
【補正方法】変更
【補正の内容】
【００３０】
EMIにより表される最も強いコピーの制限のモードに対応するCPIを生成する生成ステップをさらに含むことができる。
【手続補正１４】
【補正対象書類名】明細書
【補正対象項目名】００３１
【補正方法】変更
【補正の内容】
【００３１】
本発明の第２の情報処理装置は、入力される情報から、第１のコピー制御情報を含む主情報と前記主情報の属性を表す補助情報を抽出する抽出手段と、前記主情報から、前記第１のコピー制御情報を抽出し、解析する解析手段と、前記解析手段の解析結果に対応して、前記主情報の前記第１のコピー制御情報を新しいコピー制御情報に書き換える書き換え手段と、前記抽出手段により抽出された前記補助情報に基づいて、第２のコピー制御情報を生成する生成手段と、前記生成手段により生成された前記第２のコピー制御情報を、前記主情報と併せて、少なくとも一つのヘッダの中に記録する記録手段とを備える。
【手続補正１５】
【補正対象書類名】明細書
【補正対象項目名】００３２
【補正方法】変更
【補正の内容】
【００３２】
前記生成手段には、さらに、前記第１のコピー制御情報が有効である場合に、新しい前記第１のコピー制御情報を生成させことができる。
前記第１の制御情報が有効であるかは、前記第１のコピー制御情報を認識し、処理することが可能な装置により記録された前記主情報であるかどうかに基づいて決定されるようにすることができる。
前記主情報は、トランスポートストリームであり、前記補助情報は、前記主情報が暗号化されているモードを表す情報であるようにすることができる。
前記第２のコピー制御情報は、前記トランスポートストリームのそれぞれのトランスポートパケットのヘッダに記録されるようにすることができる。
前記情報は、IEEE1394デジタルインタフェースを介して入力され、前記補助情報は、EMIであるようにすることができる。
本発明の第２の情報処理方法は、入力される情報から、第１のコピー制御情報を含む主情報と前記主情報の属性を表す補助情報を抽出する抽出ステップと、前記主情報から、前記第１のコピー制御情報を抽出し、解析する解析ステップと、前記解析ステップの処理による解析結果に対応して、前記主情報の前記第１のコピー制御情報を新しいコピー制御情報に書き換える書き換えステップと、前記抽出ステップの処理により抽出された前記補助情報に基づいて、第２のコピー制御情報を生成する生成ステップと、前記生成ステップの処理により生成された前記第２のコピー制御情報を、前記主情報と併せて、少なくとも一つのヘッダの中に記録する記録ステップとを含む。
入力された前記情報を、それぞれがEMIを有する複数のアイソクロナスパケットに分離する分離ステップと、入力された前記情報の複数のアイソクロナスパケットが有するEMIの中から、最も強いコピーの制限のモードを選択する解析ステップとをさらに含むことができる。
EMIにより表される最も強いコピーの制限のモードに対応するCPIを生成する生成ステップをさらに含むことができる。
前記第１のコピー制御情報を認識し、処理することが可能な装置により記録された前記主情報であるかどうかに基づいて、前記第２のコピー制御情報の有効性を表す情報を生成する生成ステップをさらに含むことができる。
前記主情報は、トランスポートストリームであり、前記補助情報は、前記主情報が暗号化されているモードを表す情報であるようにすることができる。
前記第２のコピー制御情報は、前記トランスポートストリームのそれぞれのトランスポートパケットのヘッダに記録されるようにすることができる。
前記情報は、IEEE1394デジタルインタフェースを介して入力され、前記補助情報は、EMIであるようにすることができる。
入力された前記情報を、それぞれがEMIを有する複数のアイソクロナスパケットに分離する分離ステップと、入力された前記情報の複数のアイソクロナスパケットが有するEMIの中から、最も強いコピーの制限のモードを選択する解析ステップとをさらに含むことができる。
EMIにより表される最も強いコピーの制限のモードに対応するCPIを生成する生成ステップをさらに含むことができる。
本発明の第３の情報処理装置は、入力される情報から、第１のコピー制御情報を含む主情報と前記主情報の属性を表す補助情報を抽出する抽出手段と、前記補助情報に基づいて、前記第１のコピー制御情報を生成する第１の生成手段と第２のコピー制御情報を生成する第２の生成手段と、前記第２の生成手段により生成された前記第２のコピー制御情報を、前記主情報と併せて、少なくとも一つのヘッダの中に記録する記録手段とを備える。
前記第２の生成手段には、さらに、新しい前記第１のコピー制御情報を生成させることができる。
前記第１の制御情報が有効であるかは、前記第１のコピー制御情報を認識し、処理することが可能な装置により記録された前記主情報であるかどうかに基づいて決定されるようにすることができる。
前記主情報は、トランスポートストリームであり、前記補助情報は、前記主情報が暗号化されているモードを表す情報であるようにすることができる。
前記第２のコピー制御情報と前記第１のコピー制御情報は、前記トランスポートストリームのそれぞれのトランスポートパケットのヘッダに記録されるようにすることができる。
前記情報は、IEEE1394デジタルインタフェースを介して入力され、前記補助情報は、EMIであるようにすることができる。
本発明の第３の情報処理方法は、入力される情報から、第１のコピー制御情報を含む主情報と前記主情報の属性を表す補助情報を抽出する抽出ステップと、前記補助情報に基づいて、前記第１のコピー制御情報と第２のコピー制御情報を生成する生成ステップと、前記生成ステップの処理により生成された前記第２のコピー制御情報を、前記主情報と併せて、少なくとも一つのヘッダの中に記録する記録ステップとを含む。
入力された前記情報を、それぞれがEMIを有する複数のアイソクロナスパケットに分離する分離ステップと、入力された前記情報の複数のアイソクロナスパケットが有するEMIの中から、最も強いコピーの制限のモードを選択する解析ステップとをさらに含むことができる。
EMIにより表される最も強いコピーの制限のモードに対応するCPIを生成する生成ステップをさらに含むことができる。
前記第１のコピー制御情報を認識し、処理することが可能な装置により記録された前記主情報であるかどうかに基づいて、前記第２のコピー制御情報の有効性を表す情報を生成する生成ステップをさらに含むことができる。
前記主情報は、トランスポートストリームであり、前記補助情報は、前記主情報が暗号化されているモードを表す情報であるようにすることができる。
前記第２のコピー制御情報と前記第１のコピー制御情報は、前記トランスポートストリームのそれぞれのトランスポートパケットのヘッダに記録されるようにすることができる。
前記情報は、IEEE1394デジタルインタフェースを介して入力され、前記補助情報は、EMIであるようにすることができる。
入力された前記情報を、それぞれがEMIを有する複数のアイソクロナスパケットに分離する分離ステップと、入力された前記情報の複数のアイソクロナスパケットが有するEMIの中から、最も強いコピーの制限のモードを選択する解析ステップとをさらに含むことができる。
EMIにより表される最も強いコピーの制限のモードに対応するCPIを生成する生成ステップをさらに含むことができる。